(57)【要約】【課題】  コンテンツ処理装置間でコンテンツの一部を送受信することによりコンテンツの流通化を図ることが可能なコンテンツ処理装置，コンテンツ処理方法，およびコンピュータプログラムを提供する。【解決手段】  コンテンツ処理装置は，コンテンツデータのうち一部分のデータである一部コンテンツデータを取得する一部取得部（３７６）と，一部コンテンツデータを再生又は実行するコンテンツデータ処理部（３７５）と，コンテンツデータ処理部による一部コンテンツデータの再生又は実行と並行して一部コンテンツデータに対応するコンテンツデータを取得する取得部（３７６）とを備え，上記コンテンツデータ処理部は，上記一部コンテンツデータから該一部コンテンツデータに対応するコンテンツデータに切り替えて，該コンテンツデータを再生又は実行する。【選択図】    図６
2007179443.tif 000002
【特許請求の範囲】
【請求項１】
コンテンツデータのうち一部分のデータである一部コンテンツデータを取得する一部取得部と；
前記一部取得部による前記一部コンテンツデータが取得されると，その一部コンテンツデータを再生又は実行するコンテンツデータ処理部と；
前記コンテンツデータ処理部による一部コンテンツデータの再生又は実行と並行して該一部コンテンツデータに対応する前記コンテンツデータを取得する取得部と；
を備え，
前記コンテンツデータ処理部は，前記一部コンテンツデータから該一部コンテンツデータに対応するコンテンツデータに切り替えて，該コンテンツデータを再生又は実行することを特徴とする，コンテンツ処理装置。
【請求項２】
前記コンテンツデータ処理部は，前記一部コンテンツデータの再生又は実行中に，前記一部コンテンツデータの再生又は実行している地点を示す時間情報を取得し，その時間情報を基にして前記一部コンテンツデータの再生又は実行している地点と対応する前記コンテンツデータにおける地点を開始地点として設定し，その開始地点から該コンテンツデータを再生することを特徴とする，請求項１に記載のコンテンツ処理装置。
【請求項３】
前記コンテンツデータ処理部は，前記一部コンテンツデータの再生終了時間情報を取得し，その再生終了時間情報を基にして前記一部コンテンツデータの終了地点と対応する前記コンテンツデータにおける地点を開始地点として設定し，前記一部コンテンツデータの再生終了とともに，その開始地点から該コンテンツデータを再生することを特徴とする，請求項１に記載のコンテンツ処理装置。
【請求項４】
前記取得部は，前記一部コンテンツデータとともに，その一部コンテンツデータに対応するコンテンツデータに係る識別情報及び入手先情報を取得し；
前記取得部は，前記コンテンツデータの識別情報及び入手先情報を基にして，そのコンテンツデータを取得することを特徴とする，請求項１に記載のコンテンツ処理装置。
【請求項５】
前記一部取得部は，前記一部コンテンツデータを外部のコンテンツ処理装置から取得し；
前記取得部は，前記一部コンテンツデータに対応するコンテンツデータを，コンテンツデータを配信するコンテンツ配信サーバから取得することを特徴とする，請求項１に記載のコンテンツ処理装置。
【請求項６】
前記一部コンテンツデータは，暗号化されているデータ，又は，暗号化されていないデータのいずれかであり，前記コンテンツデータは，暗号化されている課金対象のデータであることを特徴とする，請求項１に記載のコンテンツ処理装置。
【請求項７】
前記一部コンテンツデータに対応するコンテンツデータは暗号化されており，前記コンテンツデータ処理部は，前記一部コンテンツデータの再生又は実行が終了するまでの間に，前記コンテンツデータが復号されたタイミングで，前記一部コンテンツデータから該一部コンテンツデータに対応するコンテンツデータに切り替えることを特徴とする，請求項１に記載のコンテンツ処理装置。
【請求項８】
前記一部コンテンツデータに対応するコンテンツデータは暗号化されており，前記コンテンツデータ処理部は，前記コンテンツデータが復号され，かつ，前記一部コンテンツデータの再生又は実行が終了するタイミングで，前記一部コンテンツデータから該一部コンテンツデータに対応するコンテンツデータに切り替えることを特徴とする，請求項１に記載のコンテンツ処理装置。
【請求項９】
コンテンツデータのうち一部分のデータである一部コンテンツデータを取得する一部取得ステップと；
前記一部コンテンツデータを再生又は実行するコンテンツデータ処理ステップと；
前記コンテンツデータ処理ステップと並行して前記一部コンテンツデータに対応するコンテンツデータを取得する取得ステップと；
前記一部コンテンツデータから該一部コンテンツデータに対応するコンテンツデータに切り替えて，該コンテンツデータを再生又は実行する切替ステップと；
を含むことを特徴とする，コンテンツ処理方法。
【請求項１０】
コンテンツデータのうち一部分のデータである一部コンテンツデータを取得する一部取得ステップと；
前記一部コンテンツデータを再生又は実行するコンテンツデータ処理ステップと；
前記コンテンツデータ処理ステップと並行して前記一部コンテンツデータに対応するコンテンツデータを取得する取得ステップと；
前記一部コンテンツデータから該一部コンテンツデータに対応するコンテンツデータに切り替えて，該コンテンツデータを再生又は実行する切替ステップと；
をコンピュータに実行させることを特徴とする，コンピュータプログラム。
【発明の詳細な説明】
【技術分野】
【０００１】
本発明は，コンテンツ配信システムおよびコンテンツ配信方法に関し，特に，コンテンツを効率的に配信することができるコンテンツ配信システムおよびコンテンツ配信方法に関する。
【背景技術】
【０００２】
近年，インターネットの普及やＰＣ（Ｐｅｒｓｏｎａｌ  Ｃｏｍｐｕｔｅｒ）等の高速化や大容量化に伴い，ネットワークを介した音楽データ，プログラム，映像データなどのディジタルコンテンツの配信が広く行われるようになってきている。
【０００３】
ディジタルコンテンツを保有するサーバ（コンテンツ配信サーバ）からネットワークを介して配信されたコンテンツは，ＰＣ等のコンテンツ処理装置に記録・再生されるか，あるいは携帯電話機など他の携帯コンテンツ処理装置等に転送されて記録・再生される（例えば，特許文献１を参照）。
【０００４】
【特許文献１】特開２００５−２５９２２号公報
【発明の開示】
【発明が解決しようとする課題】
【０００５】
しかしながら，ユーザは，プログラム，音楽データ，映像データ等のディジタルコンテンツを購入する前に，試しにディジタルコンテンツの一部を実行又は視聴したい場合でも，インターネット等のネットワークに接続してコンテンツ配信サーバからディジタルコンテンツをダウンロードしなければならなかった。
【０００６】
また，最近では，コンピュータが対等にサーバの役割とクライアントの役割の双方を担うピアツーピア（Ｐｅｅｒ  Ｔｏ  Ｐｅｅｒ：Ｐ２Ｐ）型のネットワークが個人ユーザの間でも利用可能となってきているが，仮にＰ２Ｐ型のネットワークを利用しても，既に購入済のコンテンツを保有するコンテンツ処理装置から他のコンテンツ処理装置にコンテンツを複製するのは，不正コピー防止等のため困難であった。
【０００７】
したがって，口コミなどによって，保有するディジタルコンテンツを各コンテンツ処理装置間で授受し，各ユーザ間におけるディジタルコンテンツの情報流通化を図ることが難しかった。
【０００８】
そこで，本発明は，このような問題に鑑みてなされたもので，その目的は，コンテンツの流通化を図ることが可能な，特に，コンテンツ処理装置間でコンテンツの一部を送受信することによりコンテンツの流通化を図ることが可能な，新規かつ改良されたコンテンツ処理装置，コンテンツ処理方法，およびコンピュータプログラムを提供することにある。
【課題を解決するための手段】
【０００９】
上記課題を解決するため，本発明の第１の観点によれば，コンテンツデータのうち一部分のデータである一部コンテンツデータを取得する一部取得部と；上記一部取得部による上記一部コンテンツデータが取得されると，その一部コンテンツデータを再生又は実行するコンテンツデータ処理部と；上記コンテンツデータ処理部による一部コンテンツデータの再生又は実行と並行して該一部コンテンツデータに対応するコンテンツデータを取得する取得部とを備え，上記コンテンツデータ処理部は，上記一部コンテンツデータから該一部コンテンツデータに対応するコンテンツデータにシームレスに切り替えて，該コンテンツデータを再生又は実行することを特徴としたコンテンツ処理装置が提供される。
【００１０】
本発明によれば，コンテンツ処理装置は，一部コンテンツデータを取得し，その一部コンテンツデータを再生又は実行する処理と並行してコンテンツデータを取得すると，一部コンテンツデータからコンテンツデータに切り替える。かかる構成によれば，コンテンツ処理装置は，一部コンテンツデータを再生又は実行する処理と並行してコンテンツデータを取得し，シームレスに遅延なく一部コンテンツデータからコンテンツデータに切り替えて，実行又は再生するため，コンテンツ処理装置は，コンテンツデータを処理開始当初から再生又は実行するのと同じように，処理できる。また，一部コンテンツデータの流通化を促進することで，コンテンツデータの流通化が図れる。なお，上記一部取得部と，取得部とは例えば，別体として構成されても良いし，一体として構成されても良い。
【００１１】
上記コンテンツデータ処理部は，上記一部コンテンツデータの再生又は実行中に，上記一部コンテンツデータの再生又は実行している地点を示す時間情報を取得し，その時間情報を基にして上記一部コンテンツデータの再生又は実行している地点と対応する上記コンテンツデータにおける地点を開始地点として設定し，その開始地点から該コンテンツデータを再生してもよく，また，上記コンテンツデータ処理部は，上記一部コンテンツデータの再生終了時間情報を取得し，その再生終了時間情報を基にして上記一部コンテンツデータの終了地点と対応する上記コンテンツデータにおける地点を開始地点として設定し，上記一部コンテンツデータの再生終了とともに，その開始地点から該コンテンツデータを再生してもよい。
【００１２】
上記取得部は，上記一部コンテンツデータとともに，その一部コンテンツデータに対応するコンテンツデータに係る識別情報及び入手先情報を取得し；上記取得部は，上記コンテンツデータの識別情報及び入手先情報を基にして，そのコンテンツデータを取得するようにしてもよい。
【００１３】
上記一部取得部は，上記一部コンテンツデータを外部のコンテンツ処理装置から取得し；上記取得部は，上記一部コンテンツデータに対応するコンテンツデータを，コンテンツデータを配信するコンテンツ配信サーバから取得するようにしても良い。
【００１４】
上記一部コンテンツデータは，暗号化されているデータ，又は，暗号化されていないデータのいずれかであり，上記コンテンツデータは，暗号化されている課金対象のデータであるようにしてもよい。
【００１５】
上記一部コンテンツデータに対応するコンテンツデータは暗号化されており，上記コンテンツデータ処理部は，上記一部コンテンツデータの再生又は実行が終了するまでの間に，上記コンテンツデータが復号されたタイミングで，上記一部コンテンツデータから該一部コンテンツデータに対応するコンテンツデータに切り替えるようにしてもよい。かかる構成により，再生又は実行処理の負荷などに応じて切替タイミングをより一層柔軟に決定することができる。
【００１６】
上記一部コンテンツデータに対応するコンテンツデータは暗号化されており，上記コンテンツデータ処理部は，上記コンテンツデータが復号され，かつ，上記一部コンテンツデータの再生又は実行が終了するタイミングで，上記一部コンテンツデータから該一部コンテンツデータに対応するコンテンツデータに切り替えるようにしてもよい。かかる構成により，再生又は実行処理の負荷などに応じて切替タイミングをより一層柔軟に決定することができる。
【００１７】
また，上記課題を解決するために，本発明の別の観点によれば，コンテンツデータのうち一部分のデータである一部コンテンツデータを取得する一部取得ステップと；上記一部コンテンツデータを再生又は実行するコンテンツデータ処理ステップと；上記コンテンツデータ処理ステップと並行して上記一部コンテンツデータに対応するコンテンツデータを取得する取得ステップと；上記一部コンテンツデータから該一部コンテンツデータに対応するコンテンツデータに切り替えて，該コンテンツデータを再生又は実行する切替ステップとを含むことを特徴としたコンテンツ処理方法が提供される。
【００１８】
また，上記課題を解決するために，本発明の別の観点によれば，コンテンツデータのうち一部分のデータである一部コンテンツデータを取得する一部取得ステップと；上記一部コンテンツデータを再生又は実行するコンテンツデータ処理ステップと；上記コンテンツデータ処理ステップと並行して上記一部コンテンツデータに対応するコンテンツデータを取得する取得ステップと；上記一部コンテンツデータから該一部コンテンツデータに対応するコンテンツデータに切り替えて，該コンテンツデータを再生又は実行する切替ステップとをコンピュータに実行させることを特徴としたコンピュータプログラムが提供される。
【発明の効果】
【００１９】
以上説明したように，本発明によれば，各コンテンツ処理装置間でコンテンツデータのうち一部分を送受信することにより，コンテンツデータの情報流通化を図り，コンテンツデータの流通を促進することが可能となる。
【発明を実施するための最良の形態】
【００２０】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２１】
（コンテンツ流通システム１０１）
まず，図１を参照しながら，本実施の形態にかかるコンテンツ流通システム１０１について説明する。なお，図１は，本発明の実施形態に係るセキュアチップを利用したコンテンツ流通システムの構成を説明した説明図である。
【００２２】
図１に示したように，本実施形態に係るセキュアチップを利用したコンテンツ流通システム１０１は，コンテンツ利用管理サーバ１００と，ライセンス発行サーバ２００と，情報処理端末としてのコンテンツ処理装置３００と，セキュアチップ４００と，コンテンツ配信サーバ６００とを備えている。
【００２３】
上記ライセンス発行サーバ２００は，コンテンツ処理装置３００に対してコンテンツデータを処理（再生など）するためのライセンスを発行するサーバであり，ライセンス発行サーバ２００にコンテンツ処理装置３００からコンテンツを再生する要求が送信されると，その要求に対し，コンテンツや要求のあった再生機器に応じて適切なライセンスを発行する。
【００２４】
なお，本実施の形態にかかるコンテンツデータは，動画像及び音声からなる映像，音楽，静止画像，文字，図形，または記号のうち少なくとも一つを含むデータであり，又は，プログラムであり，より具体的には，例えば，コンテンツデータは，映画，放送番組，楽曲，ゲーム，またはアプリケーションなどを例示することができる。
【００２５】
上記コンテンツ利用管理サーバ１００は，コンテンツの利用回数を利用者ごと，コンテンツごとに管理するサーバである。コンテンツの利用が行われると，その利用に応じて利用者に対しては課金を行い，コンテンツの提供者に対してはコンテンツ利用料の支払いを行う。
【００２６】
また，上記コンテンツ利用管理サーバ１００は，コンテンツ処理装置３００からコンテンツを再生する要求が発行されると，コンテンツ処理装置３００に接続されたセキュアチップ４００に対して，ライセンスの復号を行うライセンス管理鍵と，ライセンス管理鍵利用可能回数を書き込む機能を含む。
【００２７】
上記コンテンツ処理装置３００（３００−１，３００−２；「コンテンツ処理装置３００」と総称する場合もある。）は，情報処理装置の一例であり，コンテンツの処理（再生など）を行う機器である。クライアントの形態としては，ＰＣ（Ｐｅｒｓｏｎａｌ  Ｃｏｍｐｕｔｅｒ）や持ち運びが容易な携帯電話や携帯型音楽再生装置等を用いてもよい。
【００２８】
なお，本実施の形態にかかるコンテンツ流通システム１０１には，図１に示すように，コンテンツ処理装置３００は，コンテンツ処理装置３００−１，コンテンツ処理装置３００−２と２台が備わる場合を例に挙げて説明したが，かかる例に限定されず，例えば，コンテンツ流通システム１０１には，１又は２台以上のコンテンツ処理装置３００が備わる場合でも実施可能である。
【００２９】
上記コンテンツ処理装置３００−１には，図１に示すように，セキュアチップ４００が接続されている。また，一方のコンテンツ処理装置３００−２には，セキュアチップ４００が内蔵されている。上記のように，コンテンツ処理装置３００と上記セキュアチップ４００とを別体として構成する場合，又は，一体として構成する場合のどちらでもよい。
【００３０】
上記コンテンツ処理装置３００は，ライセンス発行サーバ２００に対し，コンテンツの再生要求を送信する。ライセンス発行サーバ２００からライセンスが送信されると，コンテンツ処理装置３００はコンテンツ利用管理サーバ１００からライセンス管理鍵とライセンス管理鍵利用可能回数を受け取り，セキュアチップ４００に格納する。ライセンス管理鍵はセキュアチップ４００に格納されるが，ライセンス管理鍵利用可能回数は，必ずしもセキュアチップ４００に格納される必要はなく，コンテンツ処理装置３００に格納されてもよい。
【００３１】
コンテンツ処理装置３００とセキュアチップ４００との接続形態は，ＰＣにカードリーダ／ライタ（Ｒ／Ｗ）を接続し，カードリーダ／ライタにセキュアチップ４００を内蔵したＩＣカードを接触させる形式や，ＰＣに非接触型ＩＣチップ搭載のＩＣカードを挿入可能なカードスロットなどを備え，カードスロットに挿入されたＩＣカードとリーダ／ライタとの間で無線通信が行われるようにしてもよい。また，携帯電話や携帯型音楽再生装置のような持ち運びが容易にできる情報処理端末に内蔵する形式であってもよい。
【００３２】
なお，コンテンツ処理装置３００は，ライセンスを取得し，コンテンツデータをコンテンツ配信サーバ６００からダウンロードすると，そのコンテンツデータのうち一部分のデータ（一部コンテンツデータ）を，他のコンテンツ処理装置３００に転送することができる。かかる処理によって，他のコンテンツ処理装置３００は，一部コンテンツデータを再生中に，ライセンスを取得し，コンテンツデータをコンテンツ配信サーバ６００からダウンロードすれば，かかる一部コンテンツデータを遅延なくシームレスにコンテンツデータに切り替えて再生することができる。なお，詳細については，後程説明する。
【００３３】
上記セキュアチップ４００は，ＩＣチップの一例であり，コンテンツ処理装置３００と接続して使用する。セキュアチップ４００の形態としては，耐タンパ性を有する各種チップであればよく，セキュアチップ４００を搭載したＩＣカード（接触型ＩＣカード，非接触型ＩＣカード，など）や，当該ＩＣカード機能を搭載したメモリカード（又は，カード型記憶装置）などであってもよい。
【００３４】
セキュアチップ４００には，コンテンツ利用管理サーバ１００から送信されたライセンス管理鍵やライセンス管理鍵利用回数を格納することができる。上述したように，ライセンス管理鍵はセキュアチップ４００に格納されるが，ライセンス管理鍵利用回数は必ずしもセキュアチップ４００に格納される必要はない。
【００３５】
上記ネットワーク５００は，コンテンツ利用管理サーバ１００と，ライセンス発行サーバ２００と，コンテンツ処理装置３００とをそれぞれ通信可能にする通信網である。ネットワーク５００は，例えば，インターネット，電話回線網，衛星通信網等の公衆回線網や，ＷＡＮ，ＬＡＮ，ＩＰ−ＶＰＮ（Internet Protocol-Virtual Private Network）等の専用回線網などで構成されており，有線であっても無線であってもよい。
【００３６】
（ライセンス発行サーバ２００）
次に，図２を参照しながら，本実施の形態にかかるライセンス発行サーバ２００について説明する。なお，図２は，ライセンス発行サーバ２００の機能構成の概略的な一例を示すブロック図である。
【００３７】
図２に示すように，ライセンス発行サーバ２００は，ライセンス要求受信部２１０と，コンテンツＩＤ判定部２２０と，コンテンツＩＤ記憶部２３０と，クライアント機器情報判定部２４０と，クライアント機器情報記憶部２５０と，ライセンス作成部２６０と，ライセンス管理鍵記憶部２７０と，ライセンス送信部２８０と，を含んで構成される。
【００３８】
上記ライセンス要求受信部２１０は，例えば，通信回線，通信回路，通信デバイス等で構成された通信インタフェースであって，コンテンツ処理装置３００からのコンテンツ再生要求を受信する。ライセンス要求受信部２１０がコンテンツ処理装置３００からのコンテンツ再生要求を受信すると，コンテンツ処理装置３００や再生要求のあったコンテンツに応じたライセンスを送信するため，コンテンツＩＤ判定部２２０およびクライアント機器情報判定部２４０において，コンテンツＩＤおよびコンテンツ処理装置の機器情報の判定処理を行う。
【００３９】
上記コンテンツＩＤ判定部２２０は，コンテンツ処理装置３００からのコンテンツ再生要求から再生対象となるコンテンツのコンテンツＩＤを判断する。コンテンツＩＤの判断には，コンテンツＩＤ記憶部２３０を用いる事ができる。コンテンツＩＤの判定が完了すると，クライアント機器情報判定部２４０においてコンテンツ処理装置の機器情報の判定処理を行う。
【００４０】
上記クライアント機器情報判定部２４０は，コンテンツ再生要求を送信したコンテンツ処理装置３００（クライアント）の機器情報を判定する。コンテンツ処理装置の機器情報の判定には，クライアント機器情報記憶部２５０を用いる事ができる。コンテンツ処理装置の機器情報の判定処理が完了すると，ライセンス作成部２６０においてライセンスの作成処理を行う。
【００４１】
本実施形態では，コンテンツＩＤ判定部２２０においてコンテンツＩＤを判定した後に，クライアント機器情報判定部２４０においてクライアント機器情報を判定しているが，クライアント機器情報判定部２４０においてクライアント機器情報を判定した後に，コンテンツＩＤ判定部２２０においてコンテンツＩＤを判定するようにしてもよい。
【００４２】
ライセンス作成部２６０は，コンテンツＩＤ判定部２２０およびクライアント機器情報判定部２４０で判定したコンテンツＩＤおよびコンテンツ処理装置の機器情報に応じたライセンスを作成する。作成したライセンスは，ライセンス管理鍵記憶部２７０に格納されているライセンス管理鍵で暗号化を行う。暗号化を行ったライセンスは，ライセンス送信部２８０を介してコンテンツ処理装置３００に送信される。
【００４３】
ライセンス送信部２８０は，例えば，通信回線，通信回路，通信デバイス等で構成された通信インタフェースであって，コンテンツ処理装置３００に対し，暗号化を行ったライセンスを送信する。
【００４４】
（コンテンツ利用管理サーバ１００）
次に，図３を参照しながら，本実施の形態にかかるコンテンツ利用管理サーバ１００について説明する。なお，図３は，本実施の形態にかかるコンテンツ利用管理サーバ１００の機能構成の一例を示すブロック図である。
【００４５】
図３に示すように，上記コンテンツ利用管理サーバ１００は，ライセンス管理鍵要求受信部１１０と，利用者情報管理部１２０と，利用者情報記憶部１３０と，ライセンス管理鍵管理部１４０と，ライセンス管理鍵記憶部１５０と，ライセンス管理鍵送信部１６０と，を含んで構成される。
【００４６】
上記ライセンス管理鍵要求受信部１１０は，例えば，通信回線，通信回路，通信デバイス等で構成された通信インタフェースであって，暗号化されたライセンスを保持しているコンテンツ処理装置３００から利用者情報を受信すると，送信元のコンテンツ処理装置３００が保持している暗号化されたライセンスに対応するライセンス管理鍵の送信処理を行う。
【００４７】
上記利用者情報管理部１２０は，ライセンス管理鍵を要求したコンテンツの利用者情報を管理する。ライセンス管理鍵の要求を受信すると，利用者情報記録部１３０にコンテンツの利用者情報を格納する。
【００４８】
上記ライセンス管理鍵管理部１４０は，暗号化されたライセンスを復号するライセンス管理鍵の管理を行う。ライセンス管理鍵はライセンス管理鍵記憶部１５０に保管されており，ライセンスに応じたライセンス管理鍵をコンテンツ処理装置３００に授与する。
【００４９】
上記ライセンス管理鍵記憶部１５０は，暗号化されたライセンスを復号するライセンス管理鍵を記憶している。コンテンツ処理装置３００に授与するライセンス管理鍵は，ライセンス管理鍵記憶部１５０に記憶されており，コンテンツ処理装置３００からの要求に応じて，コンテンツ処理装置の機器情報や再生するコンテンツに対応したライセンスを復号するためのライセンス管理鍵を抽出する。
【００５０】
上記ライセンス管理鍵送信部１６０は，例えば，通信回線，通信回路，通信デバイス等で構成された通信インタフェースであって，暗号化されたライセンスを復号するライセンス管理鍵をコンテンツ処理装置３００に送信する。
【００５１】
（コンテンツ配信サーバ６００）
次に，図４を参照しながら，本実施の形態にかかるコンテンツ配信サーバ６００について説明する。なお，図４は，本実施の形態にかかるコンテンツ配信サーバの機能構成の概略的な一例を示すブロック図である。
【００５２】
本実施の形態にかかるコンテンツ配信サーバ６００は，ライセンス管理鍵で暗号化されたコンテンツデータを記憶し管理し，コンテンツ処理装置３００から要求されたコンテンツを，コンテンツＩＤ（又は，コンテンツ識別情報）を基にして，上記暗号化されたコンテンツデータを配信する装置である。
【００５３】
図４に示すように，上記コンテンツ配信サーバ６００は，コンテンツ要求受信部６１０と，クライアント機器情報管理部６２０と，クライアント機器情報記憶部６３０と，コンテンツ送信部６４０と，コンテンツ管理部６５０と，コンテンツ記憶部６６０とを備えている。
【００５４】
コンテンツ管理部６５０は，クライアント機器情報管理部６２０からのクライアント機器情報記憶部６３０に記憶された要求元のクライアント機器情報と，要求元のコンテンツ処理装置３００から送信された入手先情報（ＵＲＬなど）及びコンテンツＩＤとを基にして，コンテンツ記憶部６６０に記憶されたコンテンツデータを取得する。
【００５５】
コンテンツ送信部６４０は，上記コンテンツ管理部６５０により取得されたコンテンツデータを要求元のコンテンツ処理装置３００にネットワーク５００を介して送信する。
【００５６】
なお，本実施の形態にかかるコンテンツ記憶部６６０には，暗号化されたコンテンツデータが記憶される場合を例に挙げて説明するが，かかる例に限定されず，例えば，上記コンテンツ送信部６４０が暗号化した後に，コンテンツ送信部６４０は，ネットワーク５００を介して暗号化されたコンテンツデータをコンテンツ処理装置３００に送信しても良い。
【００５７】
（コンテンツ処理装置３００）
次に，図５を参照しながら，本実施の形態にかかるコンテンツ処理装置３００について説明する。なお，図５は，本実施の形態にかかるコンテンツ処理装置の概略的な構成の一例を示すブロック図である。
【００５８】
図５に示すように，コンテンツ処理装置３００は，例えば，ＣＰＵ（Ｃｅｎｔｒａｌ  Ｐｒｏｃｅｓｓｉｎｇ  Ｕｎｉｔ）等に相当する制御部３８０と，ＲＯＭ（Ｒｅａｄ  Ｏｎｌｙ  Ｍｅｍｏｒｙ）３８１と，ＲＡＭ（Ｒａｎｄｏｍ  Ａｃｃｅｓｓ  Ｍｅｍｏｒｙ）３８３と，ホストバス３８４と，ブリッジ３８５と，外部バス３８６と，インタフェース３８７と，入力部３９０と，出力部３９１と，ストレージ装置（ＨＤＤ又はＥＥＰＲＯＭなど）３９３と，接続ポート３９５と，通信ポート３９７とを備える。
【００５９】
上記制御部３８０は，演算処理装置および制御装置として機能し，各種プログラムを起動・実行することにより，プログラムに従って動作し，コンテンツ処理装置３００内の各部を制御する。
【００６０】
上記ＲＯＭ３８１は，制御部３８０が使用するプログラムや演算パラメータ等を記憶する。ＲＡＭ３８３は，制御部３８０の実行において使用するプログラムや，その実行において適宜変化するパラメータ等のデータを一次記憶する。これらは制御部用バスなどから構成されるホストバス３８４により相互に接続されている。
【００６１】
ホストバス３８４は，ブリッジ３８５を介して，ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス３８６に接続されている。
【００６２】
入力部３９０は，例えば，マウス，キーボード，タッチパネル，ボタン，スイッチ，レバー等の操作手段と，入力信号を生成して制御部３８０に出力する入力制御回路などから構成されている。コンテンツ処理装置３００を利用するユーザは，この入力部３９０を操作することにより，コンテンツ処理装置３００に対して各種のデータを入力したり処理動作を指示したりすることができる。
【００６３】
出力部３９１は，例えば，ＣＲＴ（Ｃａｔｈｏｄｅ  Ｒａｙ  Ｔｕｂｅ）ディスプレイ装置，液晶ディスプレイ（ＬＣＤ）装置，ランプ等の表示装置と，スピーカ等の音声出力装置などで構成される。
【００６４】
上記出力部３９１は，例えば，実行又は再生されたコンテンツを出力する。具体的には，表示装置は，再生された映像データ等の各種情報をテキストまたはイメージで表示する。一方，音声出力装置は，再生された音声データ等を発音する。
【００６５】
ストレージ装置３９３は，本実施形態にかかるコンテンツ処理装置３００の記憶部の一例として構成されたデータ格納用の装置であり，例えば，ＨＤＤ（Ｈａｒｄ  Ｄｉｓｋ  Ｄｒｉｖｅ），ＥＥＰＲＯＭなどで構成される。例えば，ストレージ装置３９３は，ハードディスクを駆動し，制御部３８０が実行するプログラムや各種データを格納する。
【００６６】
上記接続ポート３９５は，例えばセキュアチップ４００等の外部のデバイス等を接続するポートであり，ＵＳＢ，ＩＥＥＥ１３９４等の接続端子を有する。接続ポート３９５は，インタフェース３８７，外部バス３８６，ブリッジ３８５，ホストバス３８４等を介して制御部３８０等に接続されている。かかる接続ポート３９５によって，コンテンツ処理装置３００は，セキュアチップ４００とデータ通信が可能となる。
【００６７】
通信ポート３９７は，例えば，ネットワーク５００に接続するための通信デバイス等で構成された通信インタフェースである。より具体的には，通信ポート３９７は，例えば，１０Ｂａｓｅ−Ｔ等の通信コネクタや，Ｂｌｕｅｔｏｏｔｈ又はＩＥＥＥ８０１．１１ｂ対応のアンテナ（コンテンツ処理装置３００が携帯電話機の場合）等を例示することができる。この通信ポート３９７は，他のコンテンツ処理装置３００やコンテンツ配信サーバ６００等の外部機器との間で，各種データを送受信する。
【００６８】
また，図５に示す通信ポート３９７にリーダ／ライタ（図示せず。）を接続することにより，例えば，セキュアチップ４００とコンテンツ処理装置３００との間で，リーダ／ライタを介してデータ通信（接触通信又は非接触通信など）が行われても良い。
【００６９】
なお，図５に示すように，コンテンツ処理装置３００には，接続ポート３９５を備えてセキュアチップ４００と外部接続する場合を例に挙げて説明したが，かかる例に限定されず，コンテンツ処理装置３００は，セキュアチップ４００を内蔵し，自装置内にセキュアチップ４００が一体化する場合などでも実施可能である。
【００７０】
次に，図６を参照しながら，本実施の形態にかかるコンテンツ処理装置３００として機能させるための機能構成について説明する。なお，図６は，本実施の形態にかかるコンテンツ処理装置の機能構成の概略的な構成を示すブロック図である。
【００７１】
図６に示すように，コンテンツ処理装置３００は，ライセンス要求部３１０と，クライアント機器情報記憶部３１５と，ライセンス受信部３２０と，ライセンス確認部３２５と，ライセンス管理部３３０と，ライセンス管理鍵要求部３３５と，利用者情報記憶部３４０と，ライセンス復号要求部３４５と，セキュアチップ送受信部３５０と，ライセンス復号鍵受信部３３５と，ライセンス管理鍵記憶部３６０と，コンテンツ復号部３６５と，コンテンツ記憶部３７０と，コンテンツ再生部３７５と，コンテンツ取得部（一部取得部，取得部）３７６とを含んで構成される。
【００７２】
なお，上記ライセンス要求部３１０と，クライアント機器情報記憶部３１５と，ライセンス受信部３２０と，ライセンス確認部３２５と，ライセンス管理部３３０と，ライセンス管理鍵要求部３３５と，利用者情報記憶部３４０と，セキュアチップ送受信部３５０と，ライセンス復号鍵受信部３３５と，ライセンス管理鍵記憶部３６０と，コンテンツ復号部３６５と，コンテンツ記憶部３７０と，コンテンツ再生部３７５と，コンテンツ取得部３７６とは，プログラムとして，制御部３８０からの呼び出しに応じて実行可能なように，例えば，ストレージ装置３９３，ＲＯＭ３８１，またはＲＡＭ３８３に記憶されているものとするが，かかる例に限定されない。
【００７３】
上記ライセンス要求部３１０は，ユーザからの処理（再生など）又は購入したいコンテンツが入力部３９０を介して受け付けられると，ライセンス発行サーバ２００に対し，その処理（再生など）又は購入したいコンテンツおよびコンテンツ処理装置３００に対応したライセンスの発行を要求する。ライセンスの発行を要求する際には，ネット上のコンテンツ配信サーバ６００に目的のコンテンツが記憶された場所を示す入手先情報（ＵＲＬなど）や，クライアント機器情報記憶部３１５に記憶している，コンテンツ識別情報（コンテンツＩＤ）や，機器を識別可能な情報を送信してもよい。
【００７４】
上記クライアント機器情報記憶部３１５には，ライセンス発行サーバ２００に送信する際のコンテンツ処理装置３００を識別可能な情報（機器識別情報）が記憶されている。機器を識別可能な情報として，例えば機器のメーカー名，型番，使用しているＯＳ（Ｏｐｅｒａｔｉｎｇ  Ｓｙｓｔｅｍ）の名称，ＯＳのバージョン等を含んでもよい。
【００７５】
また，上記クライアント機器情報記憶部３１５は，図５に示すストレージ装置３９３等の記憶手段に記憶されるものであり，例えば，データベース（ＤＢ）等を例に挙げることができるが，かかる例に限定されない。
【００７６】
上記ライセンス受信部３２０は，例えば，通信回線，通信回路，通信デバイス等で構成された通信インタフェースであって，ライセンス発行サーバ２００から送信されたライセンスを受信する。
【００７７】
上記ライセンス確認部３２５は，ライセンス発行サーバ２００から送信されたライセンスの内容を確認する。ライセンスが正式なものであることが確認できれば，ライセンス発行サーバ２００から送信されたライセンスをライセンス管理部３３０に記録する。
【００７８】
上記ライセンス管理部３３０は，ライセンス発行サーバ２００から送信されたライセンスを記録する。コンテンツを再生する際には，ライセンス管理部３３０に記録されたライセンスを，ライセンス管理鍵を用いて復号し，コンテンツを再生する。
【００７９】
また，上記ライセンス管理部３３０は，図５に示すストレージ装置３９３等の記憶手段に記憶されるものであり，例えば，１又は２以上のライセンスを保有するデータベース（ＤＢ）等を例に挙げることができるが，かかる例に限定されない。
【００８０】
上記ライセンス管理鍵要求部３３５は，暗号化されているライセンスの復号に必要なライセンス管理鍵の発行をコンテンツ利用管理サーバ１００に要求する。ライセンス管理鍵の発行を要求する際には，利用者を識別する利用者情報を送信する。利用者を識別する利用者情報は，コンテンツを配信する配信会社に登録したユーザＩＤ等であってもよい。
なお，ライセンス管理鍵要求部３３５は，利用者情報の他に，コンテンツの利用希望回数の情報をコンテンツ利用管理サーバ１００に送信してもよい。利用者情報を送信する際には，ライセンス管理鍵要求部３３５は，利用者情報記憶部３４０に記憶した利用者情報を送信するようにしてもよい。
【００８１】
利用者情報記憶部３４０には，暗号化されているライセンスの復号に必要なライセンス管理鍵の発行をコンテンツ利用管理サーバ１００に要求する際に，コンテンツ利用管理サーバ１００に送信する利用者情報が記憶されている。
【００８２】
また，上記利用者情報記憶部３４０は，図５に示すストレージ装置３９３等の記憶手段に記憶されるものであり，例えば，データベース（ＤＢ）等を例に挙げることができるが，かかる例に限定されない。
【００８３】
セキュアチップ送受信部３５０は，上記説明の接続ポート３９５を介して，セキュアチップ４００との情報のやり取りを行う。例えば，ライセンス復号要求部３４５からライセンスを復号する要求信号が転送されると，セキュアチップ送受信部３５０は，セキュアチップ４００に対し上記ライセンス復号要求信号を転送する。
【００８４】
ライセンス管理鍵受信部３５５は，セキュアチップ４００に書き込まれたライセンス管理鍵を，セキュアチップ送受信部３５０を介して受信する。受信したライセンス管理鍵は，ライセンス管理鍵記憶部３６０に保存する。なお，コンテンツ処理装置３００にライセンス管理鍵受信部３５５およびライセンス管理鍵記憶部３６０は，後述するライセンスの検索処理をコンテンツ処理装置３００で実施する場合に必要となる。そのため，ライセンスの検索処理をコンテンツ処理装置３００ではなくセキュアチップ４００で行う場合には，コンテンツ処理装置３００にライセンス管理鍵受信部３５５およびライセンス管理鍵記憶部３６０を設ける必要はない。
【００８５】
また，上記ライセンス管理鍵記憶部３６０は，図５に示すストレージ装置３９３等の記憶手段に格納されるものであり，例えば，１又は２以上のライセンス管理鍵を保有するデータベース（ＤＢ）等を例に挙げることができるが，かかる例に限定されない。
【００８６】
コンテンツ復号部３６５は，復号したライセンスを用いてコンテンツの復号を行う。コンテンツ記憶部３７０は，復号されたコンテンツを保存する。コンテンツ再生部（コンテンツデータ処理部）３７５は，復号されたコンテンツ又は一部コンテンツを再生するが，再生処理に限定されず，例えば，コンテンツ再生部３７５は，アプリケーション等のプログラムを実行してもよい。
【００８７】
また，上記コンテンツ記憶部３７０は，図５に示すストレージ装置３９３等の記憶手段に格納されるものであり，例えば，１又は２以上のコンテンツを保有するデータベース（ＤＢ）等を例に挙げることができるが，かかる例に限定されない。
【００８８】
上記コンテンツ取得部３７６は，コンテンツ配信サーバ６００に対し，コンテンツＩＤ，入手先情報を基にして，コンテンツデータを要求し，コンテンツ配信サーバ６００から暗号化されたコンテンツデータを取得する機能を有する。
【００８９】
また，上記コンテンツ取得部３７６は，かかるコンテンツデータを取得する機能のみならず，詳細は後述するが，他のコンテンツ処理装置３００から一部コンテンツデータを取得する機能を有する。
【００９０】
なお，本実施の形態にかかるコンテンツ取得部３７６は，コンテンツデータを取得する機能と一部コンテンツデータを取得する機能とを有する場合を例に挙げて説明したが，かかる例に限定されず，例えば，コンテンツ取得部３７６は，コンテンツデータを取得する取得部と一部コンテンツデータを取得する一部取得部のように別体から構成されてもよい。
【００９１】
（セキュアチップ４００）
次に，図７を参照しながら，本実施の形態にかかるセキュアチップ４００について説明する。なお，図７は，本実施の形態にかかるセキュアチップの概略的な構成の一例を示すブロック図である。
【００９２】
図７に示すように，セキュアチップ４００は，例えばセキュアチップ４００から０〜１０ｃｍの近距離の範囲内（通信範囲）であればリーダ／ライタ（Ｒ／Ｗ）３０１などを介してコンテンツ処理装置３００など外部の通信装置と非接触な近距離無線通信することが可能であり，又は，接続ポート４８４を介してコンテンツ処理装置３００と通信することが可能な装置である。
【００９３】
さらに，本実施の形態にかかるセキュアチップ４００は，図１に示すように，例えば，当該セキュアチップ４００と同等の機能を具備するチップにモジュール化し，携帯電話機などに組み込むことが可能であるが，かかる例に限定されず，セキュアチップ４００は，例えば，非接触型ＩＣカードなどとして用いられても実施可能である。
【００９４】
図７に示すように，本実施形態にかかるセキュアチップ４００には，リーダ／ライタ３０１等と無線通信するためのアンテナ４８１と，同調部４８３と，変復調部４８５と，ＩＣ制御部４８７と，ＥＥＰＲＯＭ４９３とが備わっている。
【００９５】
上記アンテナ４８１は，例えば，閉ループのコイル等を構成し，上記コイルに流れる電流が変化することで，電磁波を出力する。また，アンテナ４８１としてのコイルを通る磁束が変化することで，アンテナ４８１に電流が流れる。
【００９６】
同調部４８３は，アンテナ４８１に流れる電流を受信し，例えば，同調又は検波等を行い，変復調部４８５に出力する。
【００９７】
同調部４８３が同調又はフィルタリングする周波数帯域は，ＥＥＰＲＯＭ４９３内に格納されたライセンス等のデータにアクセスする可能性がある周波数であれば，如何なる周波数の場合でもよく，１３．５６ＭＨｚ等を例示することができる。
【００９８】
変復調部４８５は，同調部４８３から供給される信号を復調し，ＩＣ制御部４８７に供給する。また，変復調部４８５は，ＩＣ制御部４８７から送られてくるデータを，アンテナ４８１を介して送出するために変調する。
【００９９】
なお，変復調部４８５は，アンテナ４８１から無線信号として送出される搬送波とＩＣ制御部４８７から送られてくるデータとを基にして変調する。また，復調の際も変復調部４８５は，同調部４８３から伝送される無線信号のうち搬送波を取り除いたデータに復調する。
【０１００】
ＩＣ制御部４８７は，接続ポート４８４又は変復調部４８５から供給される信号として，例えばマンチェスタ符号などをデコードし，その無線信号からデコードされた符号情報を基に解析し，受信コマンド等を認識する。
【０１０１】
なお，上記受信コマンドは，ポーリングコマンド，ＥＥＰＲＯＭ４９３に記憶されたライセンス等のデータを読み出すコマンド，ＥＥＰＲＯＭ４９３の記憶領域にライセンスなどのデータを書き込むコマンド等を例示することができる。
【０１０２】
また一方で，ＩＣ制御部４８７は，コンテンツ処理装置３００に有線又は無線信号として送信するデータを，例えば，マンチェスタ符号などにエンコードする。
【０１０３】
ＩＣ制御部４８７は，半導体素子などを１又は２以上備えた回路である。上記ＩＣ制御部４８７は，上記説明したように，例えば，変復調部４８５により復調された無線信号について，エンコード／デコードを実行するブロックである。
【０１０４】
また，上記ＩＣ制御部４８７は，セキュアチップ４００に備わる各部（同調部４８１〜ＥＥＰＲＯＭ４９３）の処理を制御する。
【０１０５】
なお，図７に示すセキュアチップ４００には，アンテナ４８１，同調部４８３，接続ポート４８４，および変復調部４８５が備わる場合を例に挙げて説明したが，かかる例に限定されず，例えば，セキュアチップ４００には，接続ポート４８４が備わる場合，又は，セキュアチップ４００には，接続ポート４８４以外のアンテナ４８１，同調部４８３，および変復調部４８５が備わる場合などでもよい。
【０１０６】
次に，図８を参照しながら，本実施の形態にかかるセキュアチップ４００として機能させるための機能構成について説明する。なお，図８は，本実施の形態にかかるセキュアチップの機能構成の概略を示すブロック図である。
【０１０７】
図８に示したように，セキュアチップ４００は，ライセンス管理鍵受信部４１０と，利用コンテンツ数受信部４２０と，利用コンテンツ数記憶部４３０と，ライセンス復号要求受信部４４０と，ライセンス検索部４４５と，ライセンス管理部４５０と，利用ライセンス数削減部４５５と，ライセンス管理鍵記憶部４６０と，ライセンス復号部４６５と，復号ライセンス送信部４７０と，を含んで構成される。
【０１０８】
なお，上記ライセンス管理鍵受信部４１０と，利用コンテンツ数受信部４２０と，利用コンテンツ数記憶部４３０と，ライセンス復号要求受信部４４０と，ライセンス検索部４４５と，ライセンス管理部４５０と，利用ライセンス数削減部４５５と，ライセンス管理鍵記憶部４６０と，ライセンス復号部４６５と，復号ライセンス送信部４７０とは，ファームウェアなどのプログラムとして，ＩＣ制御部４８７からの呼び出しに応じてすぐ実行可能なように，例えば，ＥＥＰＲＯＭ４９３等に記憶されているものとするが，かかる例に限定されない。
【０１０９】
上記ライセンス管理鍵受信部４１０は，コンテンツ利用管理サーバ１００から送信されたライセンス管理鍵を受信する。受信したライセンス管理鍵はライセンス管理鍵記憶部４６０に保管する。
【０１１０】
上記利用コンテンツ数受信部４２０は，コンテンツ利用管理サーバ１００から送信されたコンテンツの利用希望回数の情報を受信する。コンテンツ処理装置３００からコンテンツの利用希望回数の情報をコンテンツ利用管理サーバ１００に送信した場合に，コンテンツ利用管理サーバ１００からセキュアチップ４００にコンテンツの利用希望回数の情報が送信される。受信したコンテンツの希望利用回数の情報は利用コンテンツ数記憶部４３０に保管する。
【０１１１】
上記ライセンス復号要求受信部４４０は，コンテンツ処理装置３００から暗号化されたライセンスの復号が要求された場合に，ライセンスの復号要求を受信する。
【０１１２】
ライセンス管理部４５０は，過去に復号化したライセンスの一部の情報を保管する。ライセンス発行サーバ２００から発行されたライセンスが，過去に復号したものと同一かどうかを判断するために，ライセンス管理部に過去に復号したライセンスの一部の情報を保管する。ライセンスの一部の情報としては，ライセンスのハッシュ値であってもよい。なお，上記過去に復号したものと同一かどうかの判断は，ライセンス検索部４４５により同一のライセンスが検索されたか否かで行われるが，かかる例に限定されない。
【０１１３】
利用ライセンス数削減部４５５は，ライセンス発行サーバ２００から発行されたライセンスが過去に復号したものと同一ではないと判断された場合，利用ライセンス数（ライセンス管理鍵利用回数）を，１減算する（デクリメントする）。
【０１１４】
ライセンス管理鍵記憶部４６０は，コンテンツ利用管理サーバ１００から送信されたライセンス管理鍵を保管する。
【０１１５】
ライセンス復号部４６５は，ライセンス管理鍵を用いて暗号化されたライセンスを復号する。なお，復号されたライセンスには，暗号化されたコンテンツデータを復号するためのコンテンツ暗号／復号鍵が含まれている。
【０１１６】
復号ライセンス送信部４７０は，復号したライセンスをコンテンツ処理装置３００に送信する。
【０１１７】
（権利取得処理について）
次に，図９〜図１１を参照しながら，本実施の形態にかかるコンテンツ流通システム１０１におけるコンテンツデータを再生するための権利を取得する処理について説明する。図９は，ライセンス管理部をセキュアチップ４００に設ける場合の権利取得処理のフローチャートであり，図１０は，ライセンス管理部をコンテンツ処理装置３００に設ける場合の権利取得処理のフローチャートであり，図１１は，コンテンツ利用管理サーバにライセンス管理鍵を要求する際に，過去に再生したコンテンツの情報を併せてコンテンツ利用管理サーバに送信する権利取得処理のフローチャートである。
【０１１８】
なお，本実施の形態にかかるＩＣチップ（又は，セキュアチップ）を利用したコンテンツ流通システム１０１を実施するにあたっては，予め何らかの手段によって暗号化されたコンテンツを入手してクライアントに格納するものとする。その際の入手経路は問わず，ＣＤ−ＲＯＭやＤＶＤ−ＲＯＭ等の記憶媒体から入手してもよく，ネットワーク経由で入手してもよい。
【０１１９】
図９を使用してコンテンツ流通システム１０１における権利取得処理の流れを説明すると，暗号化されたコンテンツを再生する際には，コンテンツ処理装置３００からライセンス発行サーバ２００に向けて，再生するコンテンツの情報とコンテンツ処理装置３００の機器情報を送信して，ライセンスの発行を要求する（Ｓ１００）。ライセンス発行サーバ２００は，コンテンツの情報とコンテンツ処理装置３００の機器情報を受信すると，コンテンツ処理装置３００に向けて，コンテンツを再生する際に必要となる，暗号化されたライセンスを送信する（Ｓ１１０）。
【０１２０】
暗号化されたライセンスを受信したコンテンツ処理装置３００は，コンテンツ利用管理サーバ１００に向けてライセンスの復号に必要なライセンス管理鍵の発行を要求する（Ｓ１２０）。この際，コンテンツ処理装置３００からは，コンテンツを利用する利用者を識別する利用者情報を送信する。また，利用者情報と合わせて，コンテンツの利用を希望する利用回数の情報を送信してもよい。コンテンツの利用回数とは，言い換えればライセンスを復号するライセンス管理鍵の利用可能回数である。
【０１２１】
コンテンツ処理装置３００からライセンス管理鍵の発行要求を受信したコンテンツ利用管理サーバ１００は，ライセンス管理鍵の作成を行い（Ｓ１３０），ライセンス管理鍵の発行要求を送信した利用者の利用者情報と，その利用者が利用可能なコンテンツの利用回数とをデータベースに記録する（Ｓ１４０）。データベースに利用者情報とコンテンツ利用回数とが記録されると，コンテンツ利用管理サーバ１００は，コンテンツ処理装置３００を経由して，セキュアチップ４００に向けて，ライセンスの復号に必要なライセンス管理鍵と，コンテンツの利用回数とを送信する（Ｓ１５０）。
【０１２２】
コンテンツ利用管理サーバ１００からライセンス管理鍵およびコンテンツの利用回数が送信されると，セキュアチップ４００にライセンス管理鍵およびコンテンツの利用回数が書き込まれる（Ｓ１６０）。セキュアチップ４００にライセンス管理鍵およびコンテンツの利用回数が書き込まれると，コンテンツ処理装置３００がセキュアチップ４００に暗号化されたライセンスを送信し，ライセンスの復号を要求する（Ｓ１７０）。
【０１２３】
ライセンスの復号要求を受信したセキュアチップ４００は，ライセンス管理部４５０に，復号の対象となるライセンスの情報が格納されているかどうか検索する（Ｓ１８０）。ライセンス管理部４５０に復号の対象となるライセンスの情報が格納されていない場合に，利用コンテンツ数記憶部４３０に保存されている利用可能なコンテンツの利用回数を１つ減らし（Ｓ１９０），ライセンス管理鍵を用いてライセンスの復号を行う（Ｓ２００）。
【０１２４】
ライセンスの復号が完了すると，復号が完了したライセンスの情報をライセンス管理部４５０に記録する（Ｓ２１０）。記録する情報は，ライセンスに対応するコンテンツの情報や，ライセンスの一部もしくは全部や，ライセンスのハッシュ値などであってもよい。次回以降，同一のライセンスの復号要求が送信された場合は，コンテンツの利用回数を減らさずにライセンスの復号を行う。これにより，ライセンス管理鍵の利用回数はコンテンツ利用回数に一致することとなる。
【０１２５】
コンテンツ処理装置３００では，復号されたライセンスを受けとり，そのライセンスからコンテンツ管理鍵を取り出し，コンテンツ管理鍵を用いてコンテンツを復号し，コンテンツの再生を行う（Ｓ２２０）。コンテンツの復号が完了すると，コンテンツの復号に用いたコンテンツ管理鍵を削除する（Ｓ２３０）。ここでコンテンツ管理鍵を削除するのはセキュリティ上の観点からで，コンテンツ管理鍵を保持したままでは，コンテンツ管理鍵が第三者の手に盗まれる恐れがあり，その第三者がコンテンツ管理鍵を解析することで，ライセンスを入手しなくてもコンテンツの再生が行えてしまう。そのため，コンテンツの復号が完了するとコンテンツ管理鍵の削除を行うが，本発明を実施する上では必ずしもコンテンツ管理鍵を削除する必要は無い。
【０１２６】
次に，図１０を参照すると，ライセンス管理部をコンテンツ処理装置３００に設ける場合においては，コンテンツ利用管理サーバ１００がコンテンツ処理装置３００経由でセキュアチップ４００にライセンス管理鍵を送信する処理までは，図９に示したライセンス管理部をセキュアチップ４００に設ける場合と同一である。
【０１２７】
図１０に示すように，まず，コンテンツ処理装置３００がライセンスの発行を要求する（Ｓ３００）と，ライセンス発行サーバ２００が暗号化されたライセンスを送信する（Ｓ３１０）。コンテンツ処理装置３００がライセンスを復号するライセンス管理鍵の発行を要求する（Ｓ３２０）と，ライセンス管理鍵の作成を行い（Ｓ３３０），ライセンス管理鍵の発行要求を送信した利用者の利用者情報と，その利用者が利用可能なコンテンツの利用回数とをデータベースに記録し（Ｓ３４０）。コンテンツ処理装置３００を経由して，セキュアチップ４００に向けて，ライセンスの復号に必要なライセンス管理鍵を送信する（Ｓ３５０）。セキュアチップ４００は，コンテンツ利用管理サーバ１００から送信されたライセンス管理鍵を書き込む（Ｓ３６０）。ここでライセンス管理部をセキュアチップ４００に設ける場合と唯一異なるのは，利用可能なコンテンツの利用回数の情報を，セキュアチップ４００ではなくコンテンツ処理装置３００に保管することである。
【０１２８】
セキュアチップ４００にライセンス管理鍵が書き込まれると，コンテンツ処理装置３００は，ライセンス管理部３３０に復号の対象となるライセンスの情報が格納されているかどうか検索する（Ｓ３７０）。ライセンス管理部３３０に復号の対象となるライセンスの情報が格納されていない場合に，利用可能なコンテンツの利用回数を１つ減らし（Ｓ３８０），ライセンスの情報をライセンス管理部３３０に記録する（Ｓ３９０）。記録する情報は，ライセンスに対応するコンテンツの情報や，ライセンスの一部もしくは全部や，ライセンスのハッシュ値などであってもよい。
【０１２９】
ライセンス管理部３３０へライセンスの情報を保存すると，再生するコンテンツに対応するライセンスを復号するため，暗号化されたライセンスをセキュアチップ４００に送信し，ライセンスの復号を要求する（Ｓ４００）。セキュアチップ４００がライセンスの復号要求を受信すると，セキュアチップ４００に書き込まれたライセンス管理鍵を用いてライセンスを復号する（Ｓ４１０）。
【０１３０】
コンテンツ処理装置３００では，復号されたライセンスを受けとり，そのライセンスからコンテンツ管理鍵を取り出し，コンテンツ管理鍵を用いてコンテンツを復号し，コンテンツの再生を行う（Ｓ４３０）。コンテンツの復号が完了すると，コンテンツの復号に用いたコンテンツ管理鍵を削除する（Ｓ２３０）が，本発明を実施する上では必ずしもコンテンツ管理鍵を削除する必要は無い。
【０１３１】
図１１を参照すると，図９のステップＳ１２０，および図１０のステップＳ３２０の，コンテンツ処理装置３００から利用者情報や利用コンテンツ数の情報をコンテンツ利用管理サーバ１００に送信する処理の際に，これまでに利用したコンテンツを識別する情報を送信する（Ｓ５２０）。コンテンツを識別する情報としては，それぞれのコンテンツに付されたＩＤのようなものであってもよい。
【０１３２】
コンテンツ利用管理サーバ１００では，コンテンツ処理装置３００から送信された利用者情報，利用コンテンツ数，利用したコンテンツを識別する情報，ライセンス管理鍵およびライセンス管理限利用回数を管理する。コンテンツ処理装置３００から利用者情報，利用コンテンツ数および利用したコンテンツを識別する情報を受信すると，ライセンス管理鍵を作成（Ｓ５３０）した後，コンテンツ処理装置３００から送信された情報をデータベースに記録する（Ｓ５４０）。保存した情報は，コンテンツを供給したコンテンツ供給会社へのコンテンツ利用要の支払いなどに利用することができる。
【０１３３】
（一部コンテンツを取得した後に権利取得する処理）
次に，図１２，図１３を参照しながら，本実施の形態にかかる一部コンテンツを取得した後に，その一部コンテンツに対応するコンテンツの権利取得処理について説明する。なお，図１２は，本実施の形態にかかる一部コンテンツを取得した後に権利取得する処理の概略を示すフローチャートであり，図１３は，本実施の形態にかかる一部コンテンツから，その対応するコンテンツに切り替えて再生する処理の概略を示す説明図である。
【０１３４】
図１２に示すように，コンテンツ処理装置３００−２は，コンテンツ処理装置３００−１に対し，自己が記憶する１又は２以上のコンテンツデータから所定のコンテンツデータを取得し，そのコンテンツデータの一部分のデータである一部コンテンツデータを転送する（Ｓ６０１）。
【０１３５】
なお，コンテンツ処理装置３００−１とコンテンツ処理装置３００−２との間の通信は，Ｐ２Ｐによる通信であれば，１０Ｂａｓｅ−Ｔなどのケーブルを介したＬＡＮや，ＩＥＥＥ８０２．１１ｂ等のアドホック通信など，通信方式や，有線／無線などを問わず，如何なる通信でもよい。
【０１３６】
また，コンテンツ処理装置３００−２は，上記一部コンテンツデータを転送する際に，その一部コンテンツデータに対応するコンテンツデータの識別情報（例えば，コンテンツＩＤ）や，コンテンツデータが記憶された記憶場所を示し，そのコンテンツデータを取得するための入手先情報（ＵＲＬなど）も送信する（Ｓ６０１）。
【０１３７】
なお，上記一部コンテンツデータとしてコンテンツデータの一部分の範囲は，コンテンツ処理装置３００が一部コンテンツデータを再生している間に，そのコンテンツデータに係るライセンスを取得し，暗号化されたコンテンツデータを復号できるだけの時間的な余裕があれば，如何なる範囲でもよい。
【０１３８】
また，上記一部コンテンツデータとしてコンテンツデータの一部分である範囲は，例えば，コンテンツ処理装置３００−２がコンテンツデータを取得する時点など予め指定されている場合，又は，コンテンツ処理装置３００−２を使用するユーザが自ら指定する等の場合でもよい。
【０１３９】
一部コンテンツデータは，例えば，コンテンツデータの先頭からｔ秒後までの範囲を有するデータである場合や，コンテンツデータの先頭からｎ秒後〜ｎ＋ｔ秒後までの範囲が指定されたデータである場合などを例示できる。
【０１４０】
次に，コンテンツ処理装置３００−１（又は，コンテンツ取得部３７６）は，コンテンツ処理装置３００−２から一部コンテンツデータを受信すると，その一部コンテンツデータを再生する（Ｓ６０３）。なお，一部コンテンツデータは，例えば，コンテンツ処理装置３００−１とコンテンツ処理装置３００−２の間で共通な鍵を生成し，その鍵でコンテンツ処理装置３００−１及びコンテンツ処理装置３００−２間を暗号化／復号されてもよいし，又は，生データのままでも実施可能であるが，かかる例に限定されない。
【０１４１】
一部コンテンツデータを再生開始後（Ｓ６０３），その一部コンテンツデータに対応したコンテンツデータ全体を再生する等の権利を取得する旨の要求がユーザから入力部３９０を介して受け付けられた場合，コンテンツ処理装置３００−１は，コンテンツＩＤと入手先情報とを基にしてコンテンツ配信サーバ６００にアクセスし，コンテンツデータを要求する（Ｓ６０５）。
【０１４２】
なお，本実施の形態におけるアクセスとは，例えば，システムの利用，サーバへの接続，ファイルの参照，ファイルの保存，ファイルの削除，またはファイルの変更などの情報処理を総称していうが，かかる例に限定されない。
【０１４３】
コンテンツ配信サーバ６００は，コンテンツ処理装置３００−１からコンテンツデータの要求があると，上記コンテンツＩＤに対応する暗号化されたコンテンツデータを送信する（Ｓ６０７）。なお，暗号化されたコンテンツデータは，上記説明の通り，ライセンスに含まれるコンテンツ暗号／復号鍵を用いて復号される。
【０１４４】
次に，コンテンツ処理装置３００−１は，コンテンツデータを再生するなどの権利を取得する処理（Ｓ６０９）が実施されるが，かかる処理は，図９〜図１１に示すように，上記説明した権利取得処理と実質的に同一であるため，詳細な処理は省略する。
【０１４５】
次に，コンテンツ処理装置３００−１（又は，コンテンツ復号部３６５）は，ライセンスに含まれるコンテンツ暗号／復号鍵を用いて，受信し取得した暗号化されたコンテンツデータを復号し，生のコンテンツデータを得る（Ｓ６１１）。
【０１４６】
次に，コンテンツ処理装置３００−１（又は，コンテンツ再生部３７５）は，一部コンテンツデータを再生している地点を示す再生時間を取得し（Ｓ６１３），その地点で一部コンテンツデータの再生を停止するとともに，再生対象を全体のコンテンツ，即ちコンテンツデータに切り替えて，上記一部コンテンツデータを再生している地点に対応するコンテンツデータ上の地点からコンテンツデータを再生する（Ｓ６１５）。
【０１４７】
上記ステップＳ６１５では，一部コンテンツデータにおける再生地点と略同一地点からコンテンツ処理装置３００−１による再生処理の切れ間なく遅延なくコンテンツデータを再生するため，一部コンテンツデータとコンテンツデータとをシームレスに再生することができる。
【０１４８】
コンテンツ処理装置３００−１が取得した一部コンテンツデータが出力部３９１に出力されることで，ユーザは試しに実行又は視聴し，ライセンス取得／コンテンツ購入する判断材料とすることができ，ユーザは，コンテンツ処理装置３００−１に迅速にライセンス取得を要求することができる。コンテンツ処理装置３００−１は，ライセンスを取得することで，コンテンツデータを一部始終再生することができる。
【０１４９】
次に，コンテンツ処理装置３００−１は，コンテンツデータを復号する際に用いられたコンテンツ暗号／復号鍵を削除する（Ｓ６１７）。また，コンテンツ処理装置３００−１は，一部コンテンツデータの再生終了後，コンテンツ処理装置３００−２から取得した一部コンテンツデータを削除してもよく，または，コンテンツ処理装置３００−１は，その一部コンテンツデータをさらに他のコンテンツ処理装置３００に転送してもよい。
【０１５０】
ここで，図１３を参照しながら，一部コンテンツデータからコンテンツデータに再生切り替えを行う処理（Ｓ６１５）について，より具体的に説明する。
【０１５１】
まず，図１３（ａ）に示すように，コンテンツ処理装置３００（又は，コンテンツ再生部３７５）は，まず一部コンテンツデータ１３０１の開始（再生時間０）から再生を始める。また，コンテンツ再生部３７５は一部コンテンツデータ１３０１の再生終了時間を一部コンテンツデータ１３０１のヘッダ情報等から取得する。
【０１５２】
次に，コンテンツ処理装置３００（又は，コンテンツ再生部３７５）は，上記再生終了時間を基に一部コンテンツデータ１３０１の再生終了を検知し，一部コンテンツデータ１３０１の終了（再生時間ｍ）まで再生した地点（ハッチングされた矩形の右端，再生終了地点）で，コンテンツデータ１３０３に再生対象を切り替える。さらにコンテンツ再生部３７５は，上記コンテンツデータ１３０３において上記再生時間ｍに該当する地点（ハッチングされた矩形の左端）を開始地点とし，その開始地点からコンテンツデータ１３０３をコンテンツデータ１３０３の終了地点（再生時間ｔ）まで再生する（Ｓ６１５）。
【０１５３】
また，図１３（ｂ）に示すように，コンテンツ処理装置３００（又は，コンテンツ再生部３７５）は，一部コンテンツデータ１３０１は，まず一部コンテンツデータ１３０１の開始（再生時間０）から再生を始める。
【０１５４】
次に，コンテンツ処理装置３００（又は，コンテンツ再生部３７５）は，一部コンテンツデータ１３０１の終了手前の再生時間ｓまで再生した地点（ハッチングされた矩形の右端）で，コンテンツデータ１３０３に再生対象を切り替える。さらにコンテンツ再生部３７５は，上記コンテンツデータ１３０３において上記再生時間ｓに該当する地点（ハッチングされた矩形の左端）を開始地点とし，その開始地点からコンテンツデータ１３０３をコンテンツデータ１３０３の終了地点（再生時間ｔ）まで再生する（Ｓ６１５）。
【０１５５】
なお，一部コンテンツデータ１３０１からコンテンツデータ１３０３に再生対象を切り替えるタイミングは，例えば，暗号化されたコンテンツデータ１３０３がコンテンツ復号部３６５により復号された時点，一部コンテンツデータ１３０１の再生終了時点，コンテンツ再生部３７５の再生処理によるコンテンツ処理装置３００の負荷が所定レベル以下の時点などを例に挙げることができるが，かかる例に限定されない。
【０１５６】
また，図１３に示す一部コンテンツデータ１３０１は，コンテンツデータ１３０３の先頭からｍ秒後までの範囲に該当するデータであったが，かかる例に限定されず，例えば，コンテンツデータ１３０３の先頭からｎ秒後であって，ｎ秒後〜ｎ＋ｐ秒後までの範囲に該当するデータなどの場合でもよい。なお，ｍ，ｎ，ｐ，ｓ，ｔともに正数とする。
【０１５７】
また，コンテンツデータ１３０３は課金対象のデータであって，例えば，ライセンス取得のたびに，所定時間ごとにコンテンツ処理装置３００は，コンテンツ利用管理サーバ１００などから課金要求があると，セキュアチップ４００内に格納された電子マネー（図示せず）又はクレジット機能等により決済処理を行う。なお，一部コンテンツデータ１３０１は，課金対象ではないが，コンテンツデータの著作権者等に一部使用料が支払われてもよい。かかる一部使用料は，例えば，アフィリエイトなどのように，コンテンツを提供する側が支払っても良いが，かかる例に限定されない。
【０１５８】
以上で，本実施の形態にかかる一部コンテンツを取得した後に権利取得する処理の一連の動作について説明を終了するが，かかるコンテンツ流通システム１０１によって，以下に示すような優れた効果が存在する。
（１）一部コンテンツデータをコンテンツ処理装置３００間で送受信し権利取得することにより，個人間流通を利用したコンテンツデータの配信を可能とし，コンテンツ流通を促進することができる。
（２）不正コピー防止等のコンテンツに対する権利を守りながら，一部コンテンツデータによる個人間流通を図ることができる。
（３）コンテンツ処理装置３００は，一部コンテンツデータを取得した後，一部コンテンツデータを再生しながら，その一部コンテンツデータに対応したコンテンツデータのライセンスを取得することができ，コンテンツ処理装置３００は，一部コンテンツデータを再生した場合でも，途切れないように再生対象を替えて遅延なくコンテンツデータ全体を再生することができる。
【０１５９】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置をコンテンツ処理装置３００として機能させる。
【０１６０】
プログラムは，コンピュータに内蔵されている記録媒体としてのハードディスクなどのストレージ装置３９３やＲＯＭ３８１に予め記録しておくことができる。
【０１６１】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１６２】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送したり，コンピュータでは，そのようにして転送されてくるプログラムを受信し，ストレージ装置３９３等にインストールすることができる。
【０１６３】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１６４】
また，プログラムは，１のコンピュータにより処理されるものであっても良いし，複数のコンピュータによって分散処理されるものであっても良い。
【０１６５】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１６６】
上記実施形態においては，コンテンツ処理装置３００に備わるライセンス要求部３１０と，クライアント機器情報記憶部３１５と，ライセンス受信部３２０と，ライセンス確認部３２５と，ライセンス管理部３３０と，ライセンス管理鍵要求部３３５と，利用者情報記憶部３４０と，ライセンス復号要求部３４５と，セキュアチップ送受信部３５０と，ライセンス復号鍵受信部３３５と，ライセンス管理鍵記憶部３６０と，コンテンツ復号部３６５と，コンテンツ記憶部３７０と，コンテンツ再生部３７５とは，１又は２以上のモジュールまたはコンポーネントから構成されるプログラムからなる場合を例に挙げて説明したが，本発明はかかる例に限定されない。例えば，複数の半導体素子等を備えたハードウェアからなる場合であってもよい。
【０１６７】
また，上記実施形態においては，セキュアチップ４００に備わるライセンス管理鍵受信部４１０と，利用コンテンツ数受信部４２０と，利用コンテンツ数記憶部４３０と，ライセンス復号要求受信部４４０と，ライセンス検索部４４５と，ライセンス管理部４５０と，利用ライセンス数削減部４５５と，ライセンス管理鍵記憶部４６０と，ライセンス復号部４６５と，復号ライセンス送信部４７０とは，１又は２以上のモジュールまたはコンポーネントから構成されるプログラムからなる場合を例に挙げて説明したが，本発明はかかる例に限定されない。例えば，複数の半導体素子等を備えたハードウェアからなる場合であってもよい。
【０１６８】
また，上記実施形態においては，コンテンツ処理装置３００は，他のコンテンツ処理装置３００から一部コンテンツデータを取得する場合を例に挙げて説明したが，かかる例に限定されず，例えば，コンテンツ処理装置３００は，ＣＤ−ＲＯＭやＵＳＢメモリ等の記録媒体から一部コンテンツデータを取得する場合，ネット上のサーバ等から一部コンテンツデータを取得する場合，放送局等の放送波を介して一部コンテンツデータを取得する場合などでもよい。
【図面の簡単な説明】
【０１６９】
【図１】本実施の形態に係るセキュアチップを利用したコンテンツ流通システムの構成を説明した説明図である。
【図２】本実施の形態に係るライセンス発行サーバの機能構成の概略的な一例を示すブロック図である。
【図３】本実施の形態にかかるコンテンツ利用管理サーバの機能構成の一例を示すブロック図である。
【図４】本実施の形態にかかるコンテンツ配信サーバの機能構成の概略的な一例を示すブロック図である。
【図５】本実施の形態にかかるコンテンツ処理装置の概略的な構成の一例を示すブロック図である。
【図６】本実施の形態にかかるコンテンツ処理装置の機能構成の概略的な構成を示すブロック図である。
【図７】本実施の形態にかかるセキュアチップの概略的な構成の一例を示すブロック図である。
【図８】本実施の形態にかかるセキュアチップの機能構成の概略を示すブロック図である。
【図９】本実施の形態に係るライセンス管理部をセキュアチップに設ける場合の権利取得処理のフローチャートである。
【図１０】本実施の形態にかかるライセンス管理部をコンテンツ処理装置に設ける場合の権利取得処理のフローチャートである。
【図１１】本実施の形態にかかるコンテンツ利用管理サーバにライセンス管理鍵を要求する際に，過去に再生したコンテンツの情報を併せてコンテンツ利用管理サーバに送信する権利取得処理のフローチャートである。
【図１２】本実施の形態にかかる一部コンテンツを取得した後に権利取得する処理の概略を示すフローチャートである。
【図１３】本実施の形態にかかる一部コンテンツから，その対応するコンテンツに切り替えて再生する処理の概略を示す説明図である。
【符号の説明】
【０１７０】
１００      コンテンツ利用管理サーバ
１０１      コンテンツ流通システム
２００      ライセンス発行サーバ
３００      コンテンツ処理装置
３６５      コンテンツ復号部
３７５      コンテンツ再生部
３７６      コンテンツ取得部
４００      セキュアチップ
５００      ネットワーク
６００      コンテンツ配信サーバ
【図１】
2007179443.tif 000003
【図２】
2007179443.tif 000004
【図３】
2007179443.tif 000005
【図４】
2007179443.tif 000006
【図５】
2007179443.tif 000007
【図６】
2007179443.tif 000008
【図７】
2007179443.tif 000009
【図８】
2007179443.tif 000010
【図９】
2007179443.tif 000011
【図１０】
2007179443.tif 000012
【図１１】
2007179443.tif 000013
【図１２】
2007179443.tif 000014
【図１３】
2007179443.tif 000015